(57)【要約】  個人証明体において、レリーフ層および金属層が、変質区域と、記録層の厚さ方向から見て変質区域と重なるレリーフ層の一部とを含む第１部分と、非変質区域と、厚さ方向から見て非変質区域と重なるレリーフ層の一部とを含む第２部分とを含む光学セキュリティパッチを構成する。厚さ方向から見たときに、第１部分が第１部分に入射した光を透過するとともに、第２部分が第２部分に入射した光を吸収することによって記録区域を隠蔽し、かつ、厚さ方向と交差する方向から見たときに、光学セキュリティパッチに入射する光を、第１部分と第２部分とが回折光として射出する。
2018216700.tif 000002
【特許請求の範囲】
【請求項１】
レーザー光線の照射による炭化性を有した非記録区域と、前記非記録区域に囲まれ、かつ、前記レーザー光線の照射による炭化によって所定の情報を示す記録区域とを備えた記録層と、
前記記録層の厚さ方向から見て、前記記録区域の全体と重なり、かつ、前記記録区域よりも広い領域に、二次元的に並ぶ複数の凸面であって、前記凸面の並ぶピッチが１９０ｎｍ以上５８０ｎｍ以下である前記複数の凸面を含み、かつ、光透過性を有するレリーフ層と、
前記厚さ方向から見て、前記記録区域の全体と重なり、かつ、前記領域で前記複数の凸面を覆う金属層であって、前記金属層は主として金属からなり、前記厚さ方向から見て、前記記録区域の全体と重なり、かつ、光透過性を有した変質区域と、前記変質区域以外の部分である非変質区域とを含む前記金属層と、を備え、
前記レリーフ層および前記金属層が、前記変質区域と、前記厚さ方向から見て前記変質区域と一致する前記レリーフ層の一部とを含む第１部分と、前記非変質区域と、前記厚さ方向から見て前記非変質区域と一致する前記レリーフ層の一部とを含む第２部分と、を含む光学セキュリティパッチを構成し、
前記光学セキュリティパッチは、前記厚さ方向から見たときに、前記第１部分が前記第１部分に入射した光を透過するとともに、前記第２部分が前記第２部分に入射した光を吸収することによって前記記録区域を隠蔽し、かつ、前記厚さ方向と交差する方向から見たときに、前記光学セキュリティパッチに入射する光を、前記第１部分と前記第２部分とが回折光として射出する
情報記録体。
【請求項２】
前記変質区域は、前記厚さ方向から見て前記記録区域と重なる領域の縁の全体を取り囲んでいる
請求項１に記載の情報記録体。
【請求項３】
前記情報記録体は、
前記厚さ方向から見て前記光学セキュリティパッチと重なり、かつ、前記光学セキュリティパッチよりも外側に広がる大きさを有し、かつ、所定の色を有した有色層をさらに備え、前記有色層は、前記厚さ方向から見て、前記光学セキュリティパッチと重なり、かつ、前記光学セキュリティパッチよりも外側に広がる空間を区画する貫通孔を含む
請求項１または２に記載の情報記録体。
【請求項４】
前記厚さ方向から見て、前記複数の凸面は、前記レリーフ層の全体にわたって２次元的に位置し、
前記厚さ方向から見て、前記金属層は、全ての前記凸面を覆い、
前記記録区域は、前記厚さ方向から見て、前記レリーフ層の縁と当該縁の内側とに位置する部分を含む内側記録区域であり、
前記情報記録体は、前記厚さ方向から見て、前記レリーフ層の前記縁よりも外側に位置して、前記内側記録区域に連なる部分を含む外側記録区域をさらに備える
請求項１から３のいずれか一項に記載の情報記録体。
【請求項５】
前記金属層は、アルミニウム、ニッケル、および、鉄から構成される群から選択されるいずれか１つから主としてなり、
前記記録区域は、黒色を有する
請求項１から４のいずれか一項に記載の情報記録体。
【請求項６】
請求項１から５のいずれか一項に記載の情報記録体を備え、
前記情報記録体は、特定の個人に属する個人情報を示す
個人証明体。
【請求項７】
前記個人証明体は、
前記情報記録体を支持するとともに、可撓性を有したキャリアフィルムと、
前記キャリアフィルムに対して前記情報記録体が位置する側とは反対側に位置する接着層と、をさらに備える
請求項６に記載の個人証明体。
【請求項８】
請求項１に記載の情報記録体を備え、
前記情報記録体は、特定の個人に属する個人情報を示し、
前記記録区域は、前記情報として前記個人情報を示す内側記録区域であり、
前記厚さ方向から見て、前記レリーフ層の縁よりも外側に位置し、前記内側記録区域が含む前記個人情報と同一の個人情報を示す外側記録区域をさらに備える
個人証明体。
【発明の詳細な説明】
【技術分野】
【０００１】
本発明は、情報記録体、および、個人証明体に関する。
【背景技術】
【０００２】
カードやパスポートなどの個人証明体として、レーザー炭化層と、ホログラム層とを備える個人証明体が知られている。レーザー炭化層は、特定の波長を有したレーザー光線を吸収することによって、黒色に変色する特性を有している。レーザー炭化層には、特定の個人に属する情報として、個人の顔画像などが書き込まれている。ホログラム層は、ホログラム層が有する屈折率の変化や凹凸構造によって、回折光によって形成される像を示すように構成されている（例えば、特許文献１を参照）。
【先行技術文献】
【特許文献】
【０００３】
【特許文献１】国際公開第２０１２／０５０２２３号
【発明の概要】
【発明が解決しようとする課題】
【０００４】
ところで、こうした個人証明体では、個人証明体が有する意匠性を高めることが求められている。【０００５】
なお、個人証明体として用いられる情報記録体に限らず、レーザー光線の照射によって炭化した部分と、回折光を射出するように構成された部分とを備える情報記録体であって、遊技用などの個人認証とは異なる用途に用いられる情報記録体においても上述した事情は共通している。
本発明は、意匠性を高めることを可能とした情報記録体、および、個人証明体を提供することを目的とする。
【課題を解決するための手段】
【０００６】
上記課題を解決するための情報記録体は、レーザー光線の照射によって炭化する特性と光透過性とを有した非記録区域と、前記非記録区域部に囲まれ、かつ、前記レーザー光線の照射による炭化によって所定の情報を示す記録区域とを備えた記録層と、前記記録層の厚さ方向から見て、前記記録区域の全体と重なり、かつ、前記記録区域よりも広い領域に、二次元的に並ぶ複数の凸面であって、前記凸面の並ぶピッチが１９０ｎｍ以上５８０ｎｍ以下である前記複数の凸面を含み、かつ、光透過性を有するレリーフ層と、前記厚さ方向から見て、前記記録区域の全体と重なり、かつ、前記領域で前記複数の凸面を覆う金属層であって、前記金属層は主として金属からなり、前記厚さ方向から見て、前記記録区域の全体と重なり、かつ、光透過性を有した変質区域と、前記変質区域以外の部分である非変質区域とを含む前記金属層と、を備える。前記レリーフ層および前記金属層が、前記変質区域と、前記厚さ方向から見て前記変質区域と一致する前記レリーフ層の一部とを含む第１部分と、前記非変質区域と、前記厚さ方向から見て前記非変質区域と一致する前記レリーフ層の一部とを含む第２部分と、を含む光学セキュリティパッチを構成する。前記厚さ方向から見たときに、前記第１部分が前記第１部分に入射した光を透過するとともに、前記第２部分が前記第２部分に入射した光を吸収することによって前記記録区域を隠蔽し、かつ、前記厚さ方向と交差する方向から見たときに、前記光学セキュリティパッチに入射する光を、前記第１部分と前記第２部分とが回折光として射出する。【０００７】
上記課題を解決するための個人証明体は、上記情報記録体を備え、前記情報記録体は、特定の個人に属する個人情報を示す情報記録体を備える。
上記構成によれば、情報記録体を記録層の厚さ方向から見たときには、記録層が含む記録区域が光学セキュリティパッチによって隠蔽されるため、記録区域は観察者によって視認されにくい。これに対して、記録層の厚さ方向と交差する方向から見たときには、光学セキュリティパッチが回折光を射出するため、回折光の色と記録区域の色とのコントラストによって、記録区域が観察者によって視認されることの可能な状態になる。このように、情報記録体によれば、情報記録体を観察する方向を変えたときに、情報記録体が示す像を変えることができ、結果として、情報記録体の意匠性が高められる。【０００８】
上記課題を解決するための個人証明体は、上記情報記録体を備え、特定の個人に属する個人情報を示し、前記記録区域は、前記情報として前記個人情報を示す内側記録区域であり、前記厚さ方向から見て、前記レリーフ層の縁よりも外側に位置し、前記内側記録区域が含む前記個人情報と同一の個人情報を示す外側記録区域をさらに備える。【０００９】
上記構成によれば、個人証明体の観察者は内側記録区域には気付きにくい。そのため、個人証明体において、外側記録区域は改竄されたとしても、内側記録区域は改竄されない可能性が高い。それゆえに、外側記録区域の情報と、内側記録区域の情報との齟齬によって、個人証明体が改竄されたか否かを判断することが可能である。
【図面の簡単な説明】
【００１０】
【図１】情報記録体および個人証明体の第１実施形態における個人証明体の表面と対向する平面視での個人証明体の構造を示す平面図。
【図２】第１例の個人証明体の構造であって図１のＩ−Ｉ線に沿う構造を示す断面図。
【図３】第２例の個人証明体の構造であって図１のＩ−Ｉ線に沿う構造を示す断面図。
【図４】第３例の個人証明体の構造であって図１のＩ−Ｉ線に沿う構造を示す断面図。
【図５】光学セキュリティパッチの構造を記録層の一部とともに示す斜視図。
【図６】光学セキュリティパッチが有するレリーフ層の機能を説明するための模式図。
【図７】個人証明体の作用を説明するための作用図。
【図８】個人証明体の作用を説明するための作用図。
【図９】個人証明体の製造に用いられる転写箔の構造を示す断面図。
【図１０】個人証明体の製造方法における転写工程を示す工程図。
【図１１】個人証明体の製造方法における印刷工程を示す工程図。
【図１２】個人証明体の製造方法における積層工程を示す工程図。
【図１３】個人証明体の製造方法における照射工程を示す工程図。
【図１４】個人証明体の変形例における記録層の構造における一部を示す部分平面図。
【図１５】個人証明体の変形例における作用を説明するための作用図。
【図１６】個人証明体の変形例における作用を説明するための作用図。
【図１７】情報記録体および個人証明体の第２実施形態における個人証明体の構造の一部を示す部分断面図。
【図１８】個人証明体を記録層の厚さ方向から見たときの個人証明体の構造の一部を示す部分平面図。
【図１９】個人証明体の第３実施形態における個人証明体の構造を示す断面図。
【図２０】個人証明体の第４実施形態における個人証明体の構造を示す断面図。
【発明を実施するための形態】
【００１１】
［第１実施形態］
図１から図１３を参照して、情報記録体、および、個人証明体を具体化した本発明の第１実施形態を説明する。以下では、個人証明体の構成、個人証明体の作用、個人証明体の製造方法、個人証明体が備える各部の形成材料、および、実施例を順に説明する。
【００１２】
［個人証明体の構成］
図１から図６を参照して、個人証明体の構成を説明する。
図１が示すように、個人証明体１０は板状である。個人証明体１０は、個人証明体１０を構成する１つの面である表面１０Ｆを含んでいる。個人証明体１０の表面１０Ｆと対向する平面視において、個人証明体１０は、第１画像ＰＩＣ１、第２画像ＰＩＣ２、および、第３画像ＰＩＣ３を示している。第１画像ＰＩＣ１および第２画像ＰＩＣ２は、個人証明体１０の所有者を特定するための情報を含む画像である。
【００１３】
第１画像ＰＩＣ１は所有者の肖像である。第２画像ＰＩＣ２は、所有者の国籍、氏名、生年月日、あるいは、個人番号のいずれか一つ、または、これらの組合せを含んでいる。第１画像ＰＩＣ１は、所有者の肖像以外の画像であってもよく、顔画像のみであってもよい。第２画像ＰＩＣ２は、上述した以外の情報を含んでもよく、性別などを含んでもよい。
【００１４】
第３画像ＰＩＣ３は、個人証明体１０の名称である。なお、第３画像ＰＩＣ３は、個人証明体１０の名称とは異なる情報を含む画像であってもよい。第２画像ＰＩＣ２および第３画像ＰＩＣ３は、アルファベットまたは数字のいずれかまたは両方を含んでいる。なお、第２画像ＰＩＣ２および第３画像ＰＩＣ３は、記号、および、アルファベットとは異なる他の文字を含んでもよい。
【００１５】
個人証明体１０は、光学セキュリティパッチ１１を備えている。光学セキュリティパッチ１１は、表面１０Ｆと対向する平面視において、表面１０Ｆを介して視認される。光学セキュリティパッチ１１の輪郭は円形である。光学セキュリティパッチ１１の輪郭は楕円でもよい。なお、光学セキュリティパッチ１１の輪郭は、多角形状などの円形状とは異なる形状でもよい。また、表面１０Ｆと対向する平面視において、光学セキュリティパッチ１１は、第１画像ＰＩＣ１、第２画像ＰＩＣ２、および、第３画像ＰＩＣ３のいずれにも重なっていない。光学セキュリティパッチ１１は、表面１０Ｆと対向する平面視において、これら画像の少なくとも１つに重なっていてもよい。
【００１６】
図２から図４は、図１のＩ−Ｉ線に沿う個人証明体１０の断面構造を示している。なお、図２から図４では、個人証明体１０を構成する各部を図示する便宜上、各部の厚さや大きさが誇張されている。図２から図４では、特に、光学セキュリティパッチの構成を図示する便宜上、光学セキュリティパッチの厚さおよび大きさが、個人証明体１０の他の部分に比べてより誇張されている。また、以下では、個人証明体１０の断面構造として互いに異なる３つの例を順に説明する。
【００１７】
［第１例］
図２が示すように、個人証明体１０は、光学セキュリティパッチ１１と記録層１２とを備えている。記録層１２は、記録区域１２ａと記録区域１２ａ以外の部分ととからなる。記録区域１２ａは、レーザー光線の照射による炭化性を有した非記録区域、すなわち記録区域１２ａ以外の部分に囲まれて、レーザー光線の照射による炭化によって所定の情報を示す部分である。
【００１８】
光学セキュリティパッチ１１は、レリーフ層２１と金属層２２とを備えている。レリーフ層２１は、記録層１２の厚さ方向から見て、記録区域１２ａの全体と重なり、かつ、記録区域１２ａの外側に向けて広がる領域に、二次元的に並ぶ複数の凸面２１ａを含んでいる。言い換えれば、レリーフ層２１は、記録層１２の厚さ方向から見て、記録区域１２ａの全体と重なり、かつ、記録区域１２ａよりも広い領域に、二次元的に並ぶ複数の凸面２１ａを含んでいる。複数の凸面２１ａにおいて、凸面２１ａの並ぶピッチが２５０ｎｍ以上５００ｎｍ以下である。レリーフ層２１は、光透過性とできる。
【００１９】
金属層２２は、記録層１２の厚さ方向から見て、記録区域１２ａの全体と重なり、かつ、記録区域１２ａの外側に向けて広がる領域で複数の凸面２１ａを覆っている。言い換えれば、金属層２２は、記録層１２の厚さ方向から見て、記録区域１２ａの全体と重なり、かつ、記録区域１２ａよりも広い領域で複数の凸面２１ａを覆っている。金属層２２の主は金属である。金属層２２は、変質区域２２ａと非変質区域２２ｂとを含んでいる。変質区域２２ａは、記録層１２の厚さ方向から見て、記録区域１２ａの全体と重なり、かつ、光透過性である。非変質区域２２ｂは、金属層２２における変質区域２２ａ以外の部分である。変質区域２２ａは、金属を主成分とする金属層２２のなかで、レーザー光線の照射によって金属層が変質した区域である。変質区域２２ａは、金属酸化物や金属層がない区域などである。変質区域２２ａの光透過性は、非変質区域２２ｂの光透過性よりも高い。
【００２０】
金属層２２の主成分は、アルミニウム、ニッケル、または、鉄から構成される群から選択されるいずれか１つ、または、これらの合金とできる。この場合には、記録区域１２ａは、黒色を有することができる。金属層２２において、８０質量％以上の成分が金属であり、金属層２２は、金属以外の成分として酸素、炭素などを含んでもよい。
【００２１】
金属層２２は、レリーフ層２１の一部または全部を覆っている。金属層２２は、レリーフ層２１に金属などの無機を堆積することで形成できる。金属層２２を堆積した後に、金属層２２をエッチングすることでレリーフ層２１の一部を覆うように金属層２２を形成できる。金属層２２の堆積には、真空蒸着、スパッタ、化学堆積を適用できる。また、個人証明体１０は、レリーフ層２１上にさらに透明反射層を備えてもよい。透明反射層は、金属層２２とレリーフ層２１の間、または、金属層２２に対するレリーフ層２１と反対側に位置することができる。透明反射層は、無機物とできる。透明反射層の無機物は、金属化合物、ケイ素化合物とできる。金属化合物は、金属酸化物、金属硫化物、フッ化金属、窒化金属とできる。金属化合物の金属はアルミニウム、チタン、亜鉛、スズとできる。ケイ素化合物は、酸化ケイ素とできる。透明反射層は、レリーフ層２１の全体または一部を覆う。透明反射層は、レーザー光線により変質し変質透明反射層となることもできる。また、透明反射層は、レーザー光線により変質しなくてもよい。
【００２２】
こうした構成では、金属層２２が有する色と記録区域１２ａが有する色とが、観察者ＯＢにはほぼ同じ色であると認識されやすい。そのため、個人証明体１０を記録層１２の厚さ方向から見たときに、観察者ＯＢが記録区域１２ａを視認することがより難しくなる。
【００２３】
光学セキュリティパッチ１１は、変質区域２２ａと、記録層１２の厚さ方向から見て変質区域２２ａと一致するレリーフ層２１の一部とを含む第１部分１１ａと、非変質区域２２ｂと、記録層１２の厚さ方向から見て非変質区域２２ｂと一致するレリーフ層２１の一部とを含む第２部分１１ｂと含んでいる。
【００２４】
光学セキュリティパッチ１１は、記録層１２の厚さ方向から見たときに、光学セキュリティパッチ１１の全体に入射する光のうち、第１部分１１ａが第１部分１１ａに入射した光を透過し、かつ、第２部分１１ｂが第２部分１１ｂに入射した光を吸収することによって記録区域１２ａを隠蔽するように構成されている。また、光学セキュリティパッチ１１は、厚さ方向と交差する方向から見たときに、第１部分１１ａと第２部分１１ｂとが回折光を射出するように構成されている。
【００２５】
記録層１２は、上述した記録区域１２ａ以外にも、レーザー光線の照射によって炭化した部分を含んでいる。こうした部分は、個人証明体１０の表面１０Ｆと対向する平面視において、上述した第２画像ＰＩＣ２を示す。このように、記録層１２のなかでレーザー光線の照射によって炭化した部分には、記録層１２の厚さ方向から見て、光学セキュリティパッチ１１と重なる部分である記録区域１２ａと、光学セキュリティパッチ１１とは重ならない部分である記録区域１２ａ以外の部分とが含まれることが好ましい。また、記録層１２の厚さ方向から見て、レーザー光線の照射によって炭化した部分の総面積において、記録区域１２ａの占める面積は３０％以上７０％以下であることが好ましい。
【００２６】
個人証明体１０は、さらに、裏面ラミネート層１３、有色層１４、および、表面ラミネート層１５を備えている。裏面ラミネート層１３、および、表面ラミネート層１５は光透過性である。裏面ラミネート層１３および表面ラミネート層１５は、透明とできる。有色層１４は着色されている。有色層１４の色は、白色や淡色などとできる。裏面ラミネート層１３は着色されていてもよい。
【００２７】
個人証明体１０において、裏面ラミネート層１３、有色層１４、記録層１２、および、表面ラミネート層１５が記載の順に積み重なっている。個人証明体１０において、光学セキュリティパッチ１１が、記録層１２と表面ラミネート層１５との間に位置している。言い換えれば、光学セキュリティパッチ１１は、記録層１２と表面ラミネート層１５とによって内包されている。個人証明体１０において、有色層１４と記録層１２との間には、印刷部１６が位置している。印刷部１６は、印刷によって形成された部分である。印刷部１６は、インキやトナーを印刷し形成できる。
【００２８】
印刷部１６は、インキを印刷して形成される。印刷には、オフセット印刷、活版印刷、グラビア印刷を適用できる。印刷部１６を形成するためのインキは、印刷方法に応じて、オフセットインキ、活版インキ、または、グラビアインキとできる。印刷部１６を形成するためのインキは、組成の違いに応じて、樹脂インキ、油性インキ、または、水性インキとできる。印刷部１６を形成するためのインキは、乾燥方式の違いに応じて、酸化重合型インキ、浸透乾燥型インキ、蒸発乾燥型インキ、または、紫外線硬化型インキとできる。インキは顔料インキ、染料インキとできる。顔料インキは、無機顔料インキやポリマー顔料インキとできる。染料インキはアゾ染料インキなどとできる。印刷部１６には、上述した第２画像ＰＩＣ２の領域と、第３画像ＰＩＣ３の領域とが含まれている。
【００２９】
光学セキュリティパッチ１１は、さらに接着層２３を備えている。接着層２３は金属層２２に対してレリーフ層２１とは反対側に位置している。金属層２２は、レリーフ層２１と金属層２２とを含む積層体を記録層１２に接着している。接着層２３は光透過性である。接着層２３は、接着層２３に対して金属層２２が位置する側とは反対側に位置する層が形成する像を透過する。
【００３０】
［第２例］
図３が示すように、第２例の個人証明体１０は、光学セキュリティパッチ１１が、記録層１２と表面ラミネート層１５との間ではなく、有色層１４と記録層１２との間に位置している点で、第１例の個人証明体１０とは異なっている。こうした第２例の個人証明体１０においても、光学セキュリティパッチ１１のうち、変質区域２２ａを含む第１部分１１ａが、記録層１２の厚さ方向から見て記録区域１２ａと一致し、非変質区域２２ｂを含む第２部分１１ｂが、記録層１２の厚さ方向から見て記録層１２のなかで記録区域１２ａ以外の部分と一致する。
【００３１】
［第３例］
図４が示すように、第３例の個人証明体１０は、記録層１２と表面ラミネート層１５との間に位置する第１光学セキュリティパッチ１１Ａと、有色層１４と記録層１２との間に位置する第２光学セキュリティパッチ１１Ｂとを備えている。なお、第１光学セキュリティパッチ１１Ａは、第１例の個人証明体１０が備える光学セキュリティパッチ１１に等しい構成であり、第２光学セキュリティパッチ１１Ｂは、第２例の個人証明体１０が備える光学セキュリティパッチ１１に等しい構成である。
【００３２】
図５および図６を参照して、光学セキュリティパッチ１１の構成をより詳しく説明する。第１例から第３例の個人証明体１０に含まれる光学セキュリティパッチの間では、記録層１２に対する位置が互いに異なるものの、光学セキュリティパッチの機能は共通している。そのため以下では、第１例の個人証明体１０が備える光学セキュリティパッチ１１について説明し、第２例および第３例の個人証明体１０に含まれる光学セキュリティパッチについての説明を省略する。
【００３３】
なお、図５では、レリーフ層２１が含む複数の凸面２１ａを図示する便宜上、各凸面２１ａを記録層１２から表面ラミネート層１５に向けて突き出た凸部として示し、かつ、各凸部の大きさが誇張されている。また、図５では、光学セキュリティパッチ１１が有する金属層２２および接着層２３の図示が省略されている。
【００３４】
図５が示すように、レリーフ層２１は複数の凸面２１ａを備え、複数の凸面２１ａは、上述したように２次元方向に沿って並んでいる。複数の凸面２１ａは、１次元方向あるいは２次元方向に沿って周期的に整列している。複数の凸面２１ａにおいて、１つの方向に沿って並ぶピッチＰが１９０ｎｍ以上５８０ｎｍ以下であり、かつ、１つの方向と直交する方向に沿って並ぶピッチＰも１９０ｎｍ以上５８０ｎｍ以下である。複数の凸面２１ａにおいて、凸面２１ａの頂点間の距離が、凸面２１ａの並ぶピッチＰである。記録層１２の厚さ方向から見て、複数の凸面２１ａは、レリーフ層２１の全体または一部に２次元的に位置している。なお、金属層２２は、全てまたは一部の凸面２１ａを覆っている。
【００３５】
各凸面２１ａは略円錐面状を有している。凸面２１ａの大きさ、すなわち、凸面２１ａを記録層１２に投影したときに、記録層１２において区画される領域の大きさと、凸面２１ａの高さとは、すべての凸面２１ａにおいて等しいことが好ましい。
【００３６】
ここで、各凸面２１ａが突き出る方向と直交する断面における屈折率は、断面におけるレリーフ層２１と、レリーフ層２１の周りに位置する部材との比によって決まる。また、凸面２１ａのピッチＰが、おおよそ可視光が有する波長以下であれば、断面における屈折率は一様であると見なすことができる。凸面２１ａのピッチＰは、可視光の中心波長以下である。具体的には、凸面２１ａのピッチＰは、５８０ｎｍ以下とできる。凸面２１ａが突き出る方向と直交する断面では、レリーフ層２１の占める割合が、レリーフ層２１から接着層２３に向かう方向に沿って次第に小さくなる一方で、凸面２１ａの周りに位置する部材が占める割合が次第に大きくなる。そのため、凸面２１ａが突き出る方向では、屈折率が大きく変わる部位が存在しないため、凸面２１ａに入射した光において、凸面２１ａでの反射や屈折が抑えられ、凸面２１ａに入射した光は凸面２１ａを透過する。
【００３７】
また、凸面２１ａは金属を主成分とする金属層２２によって覆われているため、凸面２１ａを透過した光は、金属層２２に接することによって金属層２２に吸収される。加えて、凸面２１ａと金属層２２との境界において、凸面２１ａに入射した光は、多重反射するため、境界での反射の度に、凸面２１ａに入射した光の一部が金属層２２によって吸収される。
【００３８】
なお、金属層２２のなかで、金属光沢を有する非変質区域２２ｂにおいては、上述したような光の吸収が生じる一方で、透過性を有する変質区域２２ａにおいては、光の吸収はほぼ生じない。そのため、変質区域２２ａに入射した光は、変質区域２２ａを透過する。
【００３９】
記録区域１２ａは、個人証明体１０の所有者を特定するための情報である個人情報を示している。記録区域１２ａは、内側記録区域の一例である。記録区域１２ａは、個人情報として、上述した第２画像ＰＩＣ２に含まれる個人番号を示している。すなわち、個人証明体１０は、記録層１２の厚さ方向から見て、レリーフ層２１の縁よりも外側に位置し、記録区域１２ａが含む個人情報と同一の個人情報の外側記録区域の一例として第１画像ＰＩＣ１が印刷された印刷部１６を備えている。
【００４０】
なお、記録区域１２ａの個人情報は、第１画像ＰＩＣ１における複数の個人情報のいずれかと同一であればよく、上述した国籍、氏名、または、生年月日のいずれかひとつ、またはこれらの組合せであってもよい。また、記録区域１２ａの個人情報は、第２画像ＰＩＣ２の個人情報と同一であってもよく、この場合には、記録区域１２ａは、所有者の肖像を示すことが可能であればよい。
【００４１】
図６を参照して、レリーフ層２１から射出される回折光について説明する。
図６は、可視光の中心波長、すなわち５８０ｎｍよりも小さい周期を有した回折格子を模式的に示している。なお、図６では、説明および図示の便宜上、回折格子の射出する１次回折光として、赤色を有する回折光、緑色を有する回折光、および、青色を有する回折のみが示されている。
【００４２】
回折格子において、ｍ次回折光（ｍ＝０、±１、±２、・・・）の射出角βは、回折格子の溝の長さ方向に対して垂直な面内において光が進行するとき、以下の式（１）を用いて算出することができる。
ｄ＝ｍλ／（ｓｉｎα−ｓｉｎβ）  …  式（１）
【００４３】
式（１）において、ｄは回折格子の周期であり、ｍは回折次数であり、λは入射光の波長および回折光の波長である。また、αは０次回折光であって、透過光または正反射光の射出角である。すなわち、αの絶対値は入射光の入射角と等しく、反射型の回折格子では、入射光の入射方向と正反射光の射出方向とは、回折格子を正面視する方向である正面視方向に対して対称である。なお、正面視方向は、上述した個人証明体１０において、記録層１２の厚さ方向である。
【００４４】
なお、回折格子が反射型であるとき、角度αは、０°以上９０°未満である。正面視方向、すなわち０°が境界値であり、回折格子を斜め方向から照明するとき、正反射光の射出方向を含む角度の範囲が正の範囲であり、照明光の入射方向を含む角度の範囲が負の範囲である。回折光の射出方向が、正反射光の射出方向と同じ範囲に含まれるとき、すなわち、正の範囲に含まれるとき、角度βは正の値である。一方で、回折光の射出方向が、照明光の入射方向と同じ範囲に含まれるとき、すなわち、負の範囲に含まれるとき、角度βは負の値である。
【００４５】
観察者が回折格子を正面視するとき、回折格子が射出する回折光のうち、観察者によって視認される像の表示に寄与する回折光は、射出角βが０°である回折光のみである。しかしながら、周期ｄが波長λよりも小さいとき、式（１）を満たす入射角αが存在しないため、回折格子を正面視している観察者は、回折光を視認することができない。このように、回折格子のうち、周期ｄの小さい回折格子、すなわち、周期ｄが波長λよりも小さい回折格子は、正面視方向に回折光を射出せず、かつ、周期ｄが波長λ程度である回折格子は、正面視方向に対してほぼ視認されない程度の回折光しか射出しない。
【００４６】
周期的に配置された凸面２１ａは、回折格子となる。
図６が示すように、凸面２１ａによる回折格子ＤＧは、可視光の最短波長の１／２よりも大きく、かつ、可視光の中心波長よりも小さい周期ｄを有している。すなわち、回折格子ＤＧは、１９０ｎｍよりも大きく、かつ、５８０ｎｍよりも小さい周期ｄを有している。光源ＬＳの放射する入射光ＩＬは、互いに異なる波長を有した複数の光から構成される白色光であり、入射光ＩＬが斜め方向から回折格子ＤＧに入射するとき、回折格子ＤＧは、正反射光または０次回折光である射出光ＲＬを射出する。
【００４７】
また、回折格子ＤＧは、１次回折光として赤色の回折光ＤＬｒ、緑色の回折光ＤＬｇ、および、青色の回折光ＤＬｂを射出する。ただし、赤色の回折光ＤＬｒの射出角βｒ、緑色の回折光ＤＬｇの射出角βｇ、および、青色の回折光ＤＬｂの射出角βｂは、いずれも負の値である。
【００４８】
こうした理由から、光学セキュリティパッチ１１は、記録層１２の厚さ方向に、黒色の像、または、灰色の像を示す。なお、黒色とは、白色光を記録層１２の厚さ方向から照射して、正反射光の強度を測定したとき、４００ｎｍ以上７００ｎｍの範囲に含まれる全ての波長の光において、反射率が１０％以下である状態である。また、灰色とは、白色光を記録層１２の厚さ方向から照射して、正反射光の強度を測定したとき、４００ｎｍ以上７００ｎｍ以下の範囲に含まれる全ての波長の光において、反射率が１０％よりも大きく約２５％以下である状態である。
【００４９】
光学セキュリティパッチ１１に黒色を有した像を表示させる上では、凸面２１ａの高さが高いほど、凸面２１ａにおいて、凸面２１ａが突き出る方向に沿う屈折率の変化率が小さくなる点で好ましい。これに対して、凸面２１ａの高さが低いほど、凸面２１ａにおける反射率が高まり、光学セキュリティパッチ１１が示す像の明度が高まる。結果として、光学セキュリティパッチ１１は、灰色の像を示す。
【００５０】
凸面２１ａのピッチＰは、１９０ｎｍ以上５８０ｎｍ以下の範囲とできる。凸面２１ａの高さは、凸面２１ａにおけるピッチＰの１／２以上とできる。凸面２１ａの高さがピッチＰの１／２以上であれば、凸面２１ａは、記録層１２の厚さ方向に対する入射光の反射を抑えることができる。また、凸面２１ａの高さは、ピッチＰ以下とできる。凸面２１ａの高さがピッチＰ以下であれば、凸面２１ａの形成が容易である。そのため、凸面２１ａの高さは、９５ｎｍ以上５８０ｎｍ以下であることが好ましい。
【００５１】
［個人証明体の作用］
図７および図８を参照して、個人証明体１０の作用を説明する。以下では、記録区域１２ａが黒色を有した構成での個人証明体１０の作用を説明する。
図７が示すように、観察者ＯＢが、個人証明体１０を記録層１２の厚さ方向から見たときには、言い換えれば、表面１０Ｆの法線方向から見たときには、光学セキュリティパッチ１１の第２部分１１ｂが光学セキュリティパッチ１１に入射した光を吸収し、第１部分１１ａが光学セキュリティパッチ１１に入射した光を透過する。そのため、光学セキュリティパッチ１１のうち、表面１０Ｆと対向する平面視において第２部分１１ｂが位置する部分は、光の吸収のために黒色を有する区画として観察者ＯＢに視認される。これに対して、光学セキュリティパッチ１１のうち、表面１０Ｆと対向する平面視において第１部分１１ａが位置する部分は、記録層１２における記録区域１２ａが、変質区域２２ａを介して視認されるため、記録区域１２ａが有する色のために黒色を有する区画として観察者ＯＢに視認される。
【００５２】
それゆえに、記録層１２が含む記録区域１２ａを光学セキュリティパッチ１１が隠蔽し、観察者ＯＢには、光学セキュリティパッチ１１と、記録区域１２ａとが形成する単一の像が視認される。このように、個人証明体１０を記録層１２の厚さ方向から見たときには、記録区域１２ａの情報が潜像化される。
【００５３】
一方で、図８が示すように、観察者ＯＢが、個人証明体１０を記録層１２の厚さ方向と交差する方向から見たときには、言い換えれば、表面１０Ｆの法線方向と交差する方向から見たときには、観察者ＯＢは、光学セキュリティパッチ１１から射出される回折光を視認することができる。このとき、光学セキュリティパッチ１１のうち、第２部分１１ｂが観察者ＯＢに向けて回折光を射出し、また、第１部分１１ａも回折光を観察者ＯＢに向けて射出する。ただし、第２部分１１ｂは、非変質区域２２ｂでの反射により輝度の高い回折光を射出する一方で、第１部分１１ａは、レリーフ層２１の屈折率と変質区域２２ａの屈折率との違いによる反射光のみを射出するため、第１部分１１ａは、第２部分１１ｂに比べて輝度の低い回折光しか射出しない。しかも、第１部分１１ａは透過性を有するため、第１部分１１ａを介して、第１部分１１ａの下層に位置する記録区域１２ａも観察者ＯＢによって視認される。それゆえに、第２部分１１ｂが射出する回折光の色と、第１部分１１ａが透過する記録区域１２ａの色とのコントラストによって、記録区域１２ａが観察者ＯＢによって視認される。
【００５４】
このように、個人証明体１０によれば、個人証明体１０を観察する方向を変えたときに、個人証明体１０が示す像を変えることができ、結果として、個人証明体１０の意匠性が高められる。
【００５５】
ここで一般に、観察者が物品を観察するときであって、特に、光反射能および光散乱能が小さい物品であって、光吸収性の高い物品を観察するとき、観察者は、観察者の目に対する光源と物品との相対的な位置を正反射光が視認することのできる位置に合わせる。そのため、光学セキュリティパッチ１１が上述した負の範囲内に回折光を射出することを知らない観察者は、回折光を視認することができない場合もある。この場合には、観察者は、光学セキュリティパッチ１１が回折光を射出できることに気付きにくい。
【００５６】
これに対して、上述した光学セキュリティパッチ１１における凸面２１ａのピッチＰよりも大きいピッチで並ぶ複数の凸面を備える光学セキュリティパッチでは、光学セキュリティパッチが正の範囲内に回折光を射出するため、光学セキュリティパッチが正の範囲内に回折光を射出することを知らない観察者であっても、回折光を視認する確率が高い。また、こうした光学セキュリティパッチでは、上述した正面視の方向と、回折光の射出される方向とが形成する角度が小さい。これによっても、光学セキュリティパッチから射出された回折光は、観察者によって視認されやすい。
【００５７】
こうした理由から、個人証明体１０の観察者は記録区域１２ａには気付きにくい。そのため、個人証明体１０において、第１画像ＰＩＣ１は改竄されたとしても、記録区域１２ａは改竄されない可能性が高い。それゆえに、第１画像ＰＩＣ１の情報と、記録区域１２ａの情報との齟齬によって、個人証明体１０が改竄されたか否かを判断することが可能である。
【００５８】
［個人証明体の製造方法］
図９から図１３を参照して、個人証明体１０の製造方法を説明する。以下では、第１例から第３例の個人証明体１０のうち、第１例の個人証明体１０の製造方法を詳しく説明する。また、個人証明体１０の製造方法を説明する前に、個人証明体１０の製造に用いられる転写箔の構成を説明する。
【００５９】
図９が示すように、転写箔３０は、上述した光学セキュリティパッチ１１と光学セキュリティパッチ１１を支持するキャリアフィルム３１とを備えている。光学セキュリティパッチ１１は、キャリアフィルム３１からの剥離が可能な状態でキャリアフィルム３１に支持されている。転写箔３０を形成するときには、まず、キャリアフィルム３１を準備する。キャリアフィルム３１はプラスチックフィルムとできる。キャリアフィルム３１のうち、光学セキュリティパッチ１１が形成される面には、キャリアフィルム３１から光学セキュリティパッチ１１を剥がれやすくするための処理が施されてもよい。
【００６０】
次いで、キャリアフィルム３１の１つの面にレリーフ層２１を形成する。レリーフ層２１を形成するときには、まず、レリーフ層２１を形成するための塗膜をキャリアフィルム３１に形成する。そして、塗膜のなかでキャリアフィルム３１に接する面とは反対側の面に複数の凸面２１ａを形成するための原版を押し当てた状態で、あるいは、押し当てた後に塗膜を硬化させる。これにより、複数の凸面２１ａを含むレリーフ層２１が形成される。レリーフ層２１のうち、キャリアフィルム３１に接する面とは反対側の面に金属層２２を形成する。そして、金属層２２のうち、レリーフ層２１に接する面とは反対側の面に接着層２３を形成する。金属層２２は、堆積法で形成できる。堆積法はスパッタ法や真空蒸着法とできる。これにより、転写箔３０を得ることができる。
【００６１】
なお、転写箔３０は、上述したレリーフ層２１、金属層２２、および、接着層２３以外に、各層の間に位置する中間層を有してもよい。
【００６２】
図１０が示すように、個人証明体１０を製造するには、記録層１２を準備する。記録層１２は、プラスチックシートとできる。プラスチックは、熱可塑プラスチックとできる。次いで、記録層１２の表面１２Ｆに、上述した転写箔３０を用いて光学セキュリティパッチ１１を転写する。尚、光学セキュリティパッチ１１は、表面ラミネート層に転写箔３０から転写してもよい。
【００６３】
図１１が示すように、有色層１４を準備する。有色層１４は、プラスチックシートとできる。プラスチックは、熱可塑プラスチックとできる。そして、有色層１４の表面１４Ｆに印刷部１６を形成する。なお、記録層１２の裏面に印刷部１６を形成してもよいし、有色層１４の表面１４Ｆに印刷部１６の一部を形成し、かつ、記録層１２の裏面に印刷部１６の残りの一部を形成してもよい。
【００６４】
図１２が示すように、裏面ラミネート層１３および表面ラミネート層１５を準備し、裏面ラミネート層１３、有色層１４、記録層１２、および、表面ラミネート層１５を記載の順に積み重ね、これらの層を一体化し積層体４０を形成する。これらの層は、熱や圧力によって一体化させることができる。このとき、記録層１２に位置する光学セキュリティパッチ１１が、記録層１２と表面ラミネート層１５との間に挟まれるように、記録層１２に表面ラミネート層１５を積み重ねる。これにより、光学セキュリティパッチ１１を内部に有する積層体４０を得ることができる。
【００６５】
図１３が示すように、積層体の記録層１２の表面ラミネート層１５側から、表面ラミネート層１５と光学セキュリティパッチ１１とを介して、レーザー光線ＬＢを記録層１２の一部に照射する。レーザー光線ＬＢは照射装置ＩＥより照射される。これにより、レーザー光線ＬＢが照射された記録層１２に記録区域１２ａが形成される。これと同時に、レーザー光線ＬＢが照射された光学セキュリティパッチ１１の金属層２２の一部は変質区域２２ａとなる。レーザー光線ＬＢが照射された金属層２２の一部は、レーザー光線ＬＢから与えられるエネルギーによって変質する。
【００６６】
表面ラミネート層１５および光学セキュリティパッチ１１を介して記録層１２にレーザー光線ＬＢを照射するときには、レーザー光線ＬＢの焦点の位置および出力を、記録層１２に記録区域１２ａを形成することが可能であり、かつ、金属層２２の一部を変質させることが可能であるように設定すればよい。
【００６７】
ここで、レーザー光線ＬＢの照射によって記録層１２と金属層２２とに与えられるエネルギーが所定の大きさを超えると、記録層１２の厚さ方向から見て、金属層２２において変質する部分の面積が、記録層１２において炭化する部分の面積よりも大きくなる。そのため、記録層１２の厚さ方向から見て、変質区域２２ａの有する面積と、記録区域１２ａの有する面積とを同じにする上では、記録区域１２ａの縁を形成するために記録層１２に照射するレーザー光線ＬＢのエネルギーを、記録区域１２ａの縁よりも内側を形成するために記録層１２に照射するレーザー光線ＬＢのエネルギーよりも小さくすればよい。記録層１２のなかで記録区域１２ａの内側から縁に対応する部位に対して、記録区域１２ａの内側から縁に向けてレーザー光線ＬＢのエネルギーが小さくなるように、記録層１２にレーザー光線ＬＢを照射すればよい。照射するレーザー光線ＬＢの出力は、０．１Ｗ以上１Ｗ以下の範囲とできる。照射するレーザー光線ＬＢのパルス幅は、１０ｎ秒以上１μ秒以下の範囲とできる。記録区域１２ａの光学濃度（ＯＤ値）は、１．０以上２．０以下の範囲とできる。記録区域１２ａの光学濃度（ＯＤ値）は、レーザーでの描画のスピードで制御できる。
【００６８】
レーザー光線ＬＢは、記録層１２の厚さ方向に沿って照射されるため、光学セキュリティパッチ１１のなかで、記録層１２の厚さ方向から見て１つの記録区域１２ａと１つの変質区域２２ａとが一致するように、記録区域１２ａと変質区域２２ａとが形成される。これにより、図２を参照して先に説明した第１例の個人証明体１０を得ることができる。
【００６９】
なお、第２例の個人証明体１０を形成するときには、積層体４０を形成するときに、光学セキュリティパッチ１１が、有色層１４と記録層１２との間に挟まれるように、有色層１４に記録層１２を積み重ねればよい。そして、表面ラミネート層１５を介して、記録層１２にレーザー光線ＬＢを照射すればよい。このとき、レーザー光線ＬＢの焦点の位置および出力を、記録層１２に記録区域１２ａを形成することが可能であり、かつ、記録層１２の下層に位置する金属層２２の一部を変質させることが可能であるように設定すればよい。
【００７０】
第３例の個人証明体１０を形成するときには、記録層１２の表面１２Ｆに転写箔３０を用いて第１光学セキュリティパッチ１１Ａを転写し、かつ、記録層１２の裏面に転写箔３０を用いて第２光学セキュリティパッチ１１Ｂを転写すればよい。そして、積層体４０を形成するときには、第１光学セキュリティパッチ１１Ａが記録層１２と表面ラミネート層１５との間に挟まれ、かつ、第２光学セキュリティパッチ１１Ｂが有色層１４と記録層１２との間に挟まれるように、有色層１４、記録層１２、および、表面ラミネート層１５を積み重ねればよい。
【００７１】
また、記録層１２にレーザー光線ＬＢを照射するときには、表面ラミネート層１５と第１光学セキュリティパッチ１１Ａとを介して記録層１２にレーザー光線ＬＢを照射すればよい。このとき、レーザー光線ＬＢの焦点の位置および出力を、記録層１２に記録区域１２ａを形成することが可能であり、かつ、第１光学セキュリティパッチ１１Ａにおける金属層２２の一部と、第２光学セキュリティパッチ１１Ｂにおける金属層２２の一部とを変質することが可能であるように設定すればよい。
【００７２】
［各部の形成材料］
個人証明体１０を構成する各部を形成するための材料を説明する。
［ラミネート層］
裏面ラミネート層１３および表面ラミネート層１５は、プラスチックシートとできる。プラスチックシートは、ＰＥＴ（ポリエチレンテレフタレート）シート、ＰＥＮ（ポリエチレンナフタレート）シート、ＰＰ（ポリプロピレン）シート、ポリ塩化ビニル（ＰＶＣ）シート、非晶性ポリエステル（ＰＥＴ‐Ｇ）シート、ポリカーボネート（ＰＣ）シートとできる。このうち、個人証明体用のカードやパスポートの基材としてＰＣＶシート、ＰＥＴ‐Ｇシート、ＰＣシートは、熱や圧力によって一体化する加工が容易である。
【００７３】
各ラミネート層の厚さは、５０μｍ以上４００μｍ以下とできる。各ラミネート層の厚さが５０μｍ以上であることによって、各ラミネート層が取り扱いやすくなる程度に各ラミネート層の物理的な強度が高まるため、印刷部１６を形成するときなどに各ラミネート層に皺が生じることが抑えられる。また、各ラミネート層の厚さが４００μｍ以下であることによって、個人証明体１０を製造するときに、各ラミネート層が有する厚さのばらつきや撓みの影響が大きくなることが抑えられる。なお、各ラミネート層の厚さは、７５μｍ以上１００μｍ以下とできる。
【００７４】
［記録層］
記録層１２には、所定の波長を有したレーザー光線の照射によって炭化する特性を有したプラスチックシートとできる。記録層１２は、ポリカーボネートを主材料とし、添加剤としてレーザー光線を吸収するエネルギー吸収体を含有したものとできる。こうしたシートは、例えばＳＡＢＩＣ社のＬＥＸＡＮシリーズＳＤ８Ｂ９４などである（ＬＥＸＡＮは登録商標）。
【００７５】
記録層１２の厚さは、裏面ラミネート層１３および表面ラミネート層１５と同様の理由から、５０μｍ以上４００μｍ以下とできる。または、記録層１２の厚さは、７５μｍ以上１００μｍ以下とできる。
【００７６】
［有色層］
有色層１４は、プラスチックシートとできる。プラスチックシートの材料には、裏面ラミネート層１３および表面ラミネート層１５と同じ種類の材料が適用できる。また、有色層１４のプラスチックシートは、着色剤を含有してもよい。着色剤は染料、顔料などである。
【００７７】
有色層１４の厚さは、裏面ラミネート層１３および表面ラミネート層１５と同様の理由から、５０μｍ以上４００μｍ以下とできる。または、有色層１４の厚さは、７５μｍ以上１００μｍ以下とできる。
【００７８】
［印刷部］
印刷部１６は、個人証明体１０に所定の情報を与えるために、色を有し、また、文字や絵柄などの形状を有している。
【００７９】
印刷部１６は、インキを印刷して形成される。印刷には、オフセット印刷、活版印刷、グラビア印刷を適用できる。印刷部１６を形成するためのインキは、印刷方法に応じて、オフセットインキ、活版インキ、または、グラビアインキとできる。印刷部１６を形成するためのインキは、組成の違いに応じて、樹脂インキ、油性インキ、水性インキとできる。印刷部１６を形成するためのインキは、乾燥方式の違いに応じて、酸化重合型インキ、浸透乾燥型インキ、蒸発乾燥型インキ、紫外線硬化型インキとできる。
【００８０】
また、印刷部１６を形成するインキは、個人証明体１０に対する光の入射角度、または、個人証明体１０を観察する角度に応じて色が変わる機能性インキとできる。機能性インキは、光学的変化インキ（Ｏｐｔｉｃａｌ  Ｖａｒｉａｂｌｅ  Ｉｎｋ）、カラーシフトインキ、パールインキなどである。
【００８１】
なお、トナーを用いた電子写真法によって印刷部１６を形成することもできる。電子写真法によって印刷部１６を形成するときには、帯電性を有したプラスチック粒子に黒鉛または顔料などの色粒子を付着させたトナーを準備し、帯電による静電気を利用して、トナーを被印刷体に転写させる。そして、トナーが転写された被印刷体を加熱することによって、被印刷体にトナーを定着させる。これにより、上述した各ラミネート層や記録層１２に印刷部１６を形成することができる。
【００８２】
［キャリアフィルム］
転写箔３０のキャリアフィルム３１は、プラスチックフィルムとできる。プラスチックフィルムは、ＰＥＮフィルム、ＰＰフィルムとできる。フィルムの材料は、キャリアフィルム３１上にレリーフ層２１が形成されるときに、キャリアフィルム３１にかかる熱やキャリアフィルムが接する溶剤によって、キャリアフィルム３１の変形しにくく、変質しにくい材料とできる。なお、キャリアフィルム３１は、紙、合成紙、プラスチック複層紙、または、樹脂含浸紙としてもよい。
【００８３】
キャリアフィルム３１の厚さは４μｍ以上とできる。キャリアフィルム３１の厚さは１２μｍ以上５０μｍ以下とできる。キャリアフィルム３１の厚さが４μｍ以上であることによって、キャリアフィルム３１が取り扱いやすい程度にキャリアフィルム３１の物理的な強度が高まる。
【００８４】
［レリーフ層］
レリーフ層２１の材料は、熱可塑樹脂、熱硬化樹脂、紫外線硬化樹脂とできる。熱可塑樹脂は、アクリル樹脂、エポキシ樹脂、セルロース樹脂、ビニル樹脂の単体、これらの混合、これらの複合体、これらの共重合樹脂とできる。熱硬化樹脂は、ウレタン樹脂、メラミン系樹脂、エポキシ樹脂、フェノール系樹脂とできる。紫外線硬化樹脂は、アクリル樹脂、ウレタン樹脂、エポキシ樹脂の単体、これらの混合、これらの複合体、これらの共重合樹脂とできる。レリーフ層２１の厚さは、１μｍ以上５μｍ以下である。
【００８５】
レリーフ層２１の材料は、硬化ポリマーとしてもよい。硬化ポリマーは、エチレン性不飽和結合またはエチレン性不飽和基を持つモノマー、オリゴマー、ポリマーの硬化物とできる。このうち、モノマーは、１，６‐ヘキサンジオール、ネオペンチルグリコールジアクリレート、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレートなどとできる。オリゴマーは、エポキシアクリレート、ウレタンアクリレート、ポリエステルアクリレートなどとできる。ポリマーは、ウレタン変性アクリル樹脂、エポキシ変性アクリル樹脂とできる。
【００８６】
［金属層］
金属層２２は、金属を主としてなる。金属層２２の金属は、アルミニウム、ニッケル、鉄、金、銅、または、スズの単体またはその合金とできる。金属層２２の金属として、アルミニウム、ニッケル、または、鉄の単体、またはこれらの合金は、加工しやすい。金属層２２は、堆積法で形成できる。金属層２２の堆積法は、真空蒸着法、またはスパッタ法とできる。金属層２２の厚さは、５０Å以上３０００Å以下とできる。または、金属層２２の厚さは、２００Å以上１０００Å以下とできる。金属層２２の厚さが２００Å以上１０００Å以下であれば、レーザーでの加工が容易となる。
【００８７】
［接着層］
接着層２３は、接着剤を主成分とする。接着剤は、ポリエステル樹脂、ウレタン樹脂、アクリル樹脂、塩化ビニル樹脂とできる。接着層２３は、改質剤を含有できる。改質剤は、接着性付与剤、充填剤、軟化剤、熱光安定剤、酸化防止剤の単体、これらの混合とできる。
【００８８】
接着性付与剤は、ロジン系樹脂、テルペンフェノール樹脂、テルペン樹脂、芳香族炭化水素変性テルペン樹脂、石油樹脂、クマロン・インデン樹脂、スチレン系樹脂、フェノール系樹脂、キシレン樹脂の単体、これらの混合、これらの共重合樹脂とできる。充填剤は、亜鉛華、酸化チタン、シリカ、炭酸カルシウム、硫酸バリウムとできる。軟化剤は、プロセスオイル、液状ゴム、可塑剤とできる。熱光安定剤は、ベンゾフェノン、ベンゾトリアゾール、ヒンダードアミンとできる。酸化防止剤は、アニリド、フェノール、ホスファイト、チオエステルとできる。
【００８９】
接着層２３の厚さは、０．１μｍ以上１０μｍ以下とできる。また、接着層２３の厚さは、１μｍ以上５μｍ以下とできる。
【００９０】
接着層２３の形成では、剥離材の１つの面に接着剤を塗布し、接着剤を乾燥させる。次いで、接着剤と金属層２２とを貼り合わせる。その後、剥離材を接着剤から取り外すことによって、金属層２２に接着層２３を形成することができる。
【００９１】
接着剤は、ロールコーター、ナイフコーター、ロールナイフコーター、エアナイフコーター、ダイコーター、バーコーター、グラビアコーター、カーテンコーターなどの塗工機で塗布できる。
【００９２】
［実施例］
［実施例１］
個人証明体を製造する前に、光学セキュリティパッチを含む転写箔を形成した。転写箔を形成するときには、キャリアフィルムとして２５μｍの厚さを有したＰＥＴフィルム（ルミラー２５Ｔ６０、東レ（株）製）（ルミラーは登録商標）を準備した。
【００９３】
次いで、以下の組成を有したレリーフ層用インキを、ＰＥＴフィルムの１つの面にグラビア印刷で塗布することによって、２μｍの厚さを有した塗膜を形成した。そして、塗膜に含まれる溶剤を揮発させることによって塗膜から除去した後、塗膜のなかでキャリアフィルムに接する面とは反対側の面に金属円筒板を押し当てることによって、ロール形成加工を行った。これにより、複数の凸面を形成した。このとき、プレス圧力を２Ｋｇｆ／ｃｍ２に設定し、プレス温度を２４０℃に設定し、プレススピードを１０ｍ／ｍｉｎに設定した。
【００９４】
レリーフ層のうち、キャリアフィルムに接する面とは反対側の面に、５００Åの厚さを有したアルミニウム層を金属層として形成した。アルミニウム層は、真空蒸着で形成した。次いで、アルミニウム層のなかで、レリーフ層に接する面とは反対側の面に、以下の組成を有した接着層用インキを塗布することによって、４μｍの厚さを有した塗膜を形成した。その後、塗膜に含まれる溶剤を揮発させることによって塗膜から除去することで接着層を形成した。これにより、光学セキュリティパッチを含む転写箔を得た。
【００９５】
［レリーフ層用インキ］
高分子メタクリル（ＰＭＭＡ）樹脂  ２部
低粘性ニトロセルロース          １２部
シクロヘキサノン                １０部
【００９６】
［接着層用インキ］
ポリエステル樹脂                ２０部
メチルエチルケトン              ４０部
トルエン                        ５０部
【００９７】
１００μｍの厚さを有した記録層（ＬＥＸＡＮ  ＳＤ８Ｂ９４、ＳＡＢＩＣ（株）製）を準備し、記録層の表面にホットスタンプ転写機で光学セキュリティパッチを転写した。このとき、転写温度を１２０℃に設定し、転写時間を１秒間に設定した。
【００９８】
４００μｍの厚さを有した有色層（ＬＥＸＡＮ  ＳＤ８Ｂ２４、ＳＡＢＩＣ（株）製）、２００μｍの厚さを有した裏面ラミネート層（ＬＥＸＡＮ  ＳＤ８Ｂ１４、ＳＡＢＩＣ（株）製）、および、１００μｍの厚さを有した表面ラミネート層（ＬＥＸＡＮ  ＳＤ８Ｂ１４、ＳＡＢＩＣ（株）製）を準備した。そして、有色層の表面に黒色のインキで印刷部を形成した。
【００９９】
次いで、裏面ラミネート層、有色層、記録層、および、表面ラミネート層を、光学セキュリティパッチが記録層と表面ラミネート層との間に挟まれる記載の順に積み重ねた。そして、これらに熱圧を加えてラミネートし、カード状に整形することによって光学セキュリティパッチを内部に含む積層体を得た。なお、ラミネートにおける温度を２００℃に設定し、圧力を８０Ｎ／ｃｍ２に設定し、時間を２５分に設定した。
【０１００】
１０６４ｎｍの波長を有したレーザー光線を出力するファイバーレーザー型のレーザー照射装置で、積層体が有する記録層に対して、表面ラミネート層が位置する側からレーザー光線を照射した。これにより、記録層の内部に記録区域を形成し、実施例１の個人証明体を得た。
【０１０１】
実施例１の個人証明体を個人証明体の厚さ方向から観察すると、記録層のなかで、光学セキュリティパッチに重なる部分に形成された記録区域を視認することができないことが認められた。これに対して、実施例１の個人証明体を個人証明体の厚さ方向と交差する方向から観察すると、光学セキュリティパッチが射出する回折光が視認でき、これにより、回折光と記録区域とのコントラストの差によって、記録区域を視認することができることが認められた。実施例１の個人証明体から光学セキュリティパッチを取り出すと、個人証明体を観察する方向に関わらず、記録区域を視認することができることが認められた。
【０１０２】
［実施例２］
金属層の形成材料をアルミニウムからニッケルに変える以外は、実施例１と同様の方法によって実施例２の個人証明体を得た。実施例２の個人証明体によっても、実施例１の個人証明体と同等の効果が得られることが認められた。
【０１０３】
以上説明したように、情報記録体、および、個人証明体の第１実施形態によれば、以下に列挙する効果を得ることができる。
（１）個人証明体１０を観察する方向を変えたときに、個人証明体１０が示す像を変えることができる。そのため、個人証明体１０の意匠性が高められる。
【０１０４】
（２）金属層２２が有する色と記録区域１２ａが有する色とが、観察者ＯＢにはほぼ同じ色であると認識されやすい。そのため、個人証明体１０を記録層１２の厚さ方向から見たときに、観察者ＯＢが記録区域１２ａを視認することがより難しくなる。
【０１０５】
（３）個人証明体１０の観察者ＯＢは記録区域１２ａには気付きにくい。そのため、個人証明体１０において、第１画像ＰＩＣ１は改竄されたとしても、記録区域１２ａは改竄されない可能性が高い。それゆえに、第１画像ＰＩＣ１の情報と、記録区域１２ａの情報との齟齬によって、個人証明体１０が改竄されたか否かを判断することが可能にもなる。
【０１０６】
なお、上述した第１実施形態は、以下のように適宜変更して実施することができる。
・個人証明体１０は図１４から図１６を参照して説明する構成であってもよい。
すなわち、図１４が示すように、記録層１２は、内側記録区域１２ａ１と外側記録区域１２ａ２とを含んでいる。内側記録区域１２ａ１および外側記録区域１２ａ２は、いずれも記録層１２に対するレーザー光線ＬＢの照射によって形成された区域である。内側記録区域１２ａ１は、記録層１２の厚さ方向から見て、レリーフ層２１の縁２１ｅ、言い換えれば光学セキュリティパッチ１１の縁１１ｅと、この縁１１ｅの内側とに位置する。外側記録区域１２ａ２は、光学セキュリティパッチ１１の縁１１ｅよりも外側に位置する。また、図１４が示すように、外側記録区域１２ａ２と内側記録区域１２ａ１とは、光学セキュリティパッチ１１の縁１１ｅで連なってもよい。
【０１０７】
図１４の内側記録区域１２ａ１と外側記録区域１２ａ２との各々は、記録層１２の表面１２Ｆと対向する平面視において、互いに連なる３つの円環によって構成される単一の像における一部である。なお、内側記録区域１２ａ１および外側記録区域１２ａ２は、光学セキュリティパッチ１１の縁１１ｅを跨って単一の像を形成していれば、上述したような幾何学的な形状を有してもよいし、文字、数字、および、絵柄のいずれかを形成してもよい。
【０１０８】
図１５が示すように、個人証明体１０を記録層１２の厚さ方向から見たときには、光学セキュリティパッチ１１の縁１１ｅよりも外側に位置する外側記録区域１２ａ２は観察者によって視認される一方で、光学セキュリティパッチ１１の縁１１ｅおよび縁１１ｅの内側に位置する内側記録区域１２ａ１は観察者によって視認されない。
【０１０９】
これに対して、図１６が示すように、個人証明体１０を記録層１２の厚さ方向と交差する方向から見たときには、内側記録区域１２ａ１および外側記録区域１２ａ２によって形成される単一の像が、光学セキュリティパッチ１１が射出する回折光とともに観察者によって視認される。
【０１１０】
上述した構成によれば、以下に記載の効果を得ることができる。
（４）個人証明体１０を記録層１２の厚さ方向から見たときには、外側記録区域１２ａ２の像のみが観察者によって視認される。一方で、個人証明体１０を記録層１２の厚さ方向と交差する方向から見たときには、内側記録区域１２ａ１の一部と外側記録区域１２ａ２の一部とが連なることによって形成される像が観察者によって視認される。それゆえに、個人証明体１０を視認する方向が変わることによって、個人証明体１０が示す像を変えることができ、ひいては、個人証明体１０の意匠性を高めることができる。
【０１１１】
なお、外側記録区域１２ａ２は、記録層１２に対するレーザー光線の照射によって形成された区域でなくてもよい。外側記録区域１２ａ２は、記録層１２の表面１２Ｆに、印刷により形成された区域であってもよい。また、外側記録区域１２ａ２は、記録層１２の表面１２Ｆに、溶融熱転写や昇華熱転写で形成された区域でもよい。
【０１１２】
・内側記録区域の一例である記録区域１２ａの情報は、上述した個人情報に限らず、個人情報以外の情報であってもよい。こうした構成では、記録区域１２ａの情報は、文字、数字、図形、または、絵柄の少なくとも１つから構成されていればよい。
【０１１３】
・記録区域１２ａが有する色は上述した黒色に限らず、灰色であって、黒色よりも明度が高い一方で、彩度は黒色と等しい色であってもよい。上述したように、記録層１２の厚さ方向から見て、光学セキュリティパッチ１１は、灰色を有した像を形成することが可能であるため、光学セキュリティパッチ１１によって記録区域１２ａを隠蔽することは可能である。
【０１１４】
・金属層２２は、記録区域１２ａの全体と重なり、かつ、記録区域１２ａの外側に向けて広がる領域で複数の凸面２１ａを覆っていれば、全ての凸面２１ａではなく、複数の凸面２１ａにおける一部を覆っていてもよい。金属層２２が複数の凸面２１ａの一部のみを覆う形状である場合には、金属層２２が複数の凸面２１ａの全てを覆う場合と比べて、金属層２２を形成するためにより高度な加工技術が必要とされる。また、個人証明体１０における意匠性がより精緻になる。そのため、個人証明体１０が有する偽造を抑える効果をより高めることができる。
【０１１５】
なお、複数の凸面２１ａの一部を覆う金属層２２は、以下の方法で形成できる。まず、複数の凸面２１ａの全てを覆う金属層を形成し、次いで、金属層上の一部に所定のパターンを有する被覆層を形成する。被覆層は、印刷、塗布、または、堆積で形成できる。そして、被覆層が有するパターンに応じて、金属層の一部を選択的に除去することによって、複数の凸面２１ａの一部を覆う金属層２２を形成することができる。
【０１１６】
なお、被覆層を形成する材料は、紫外線の露光によって溶解性が高まる、あるいは、溶解性が低くなる樹脂とできる。こうした樹脂材料を金属層上に塗布し、樹脂材料に対してパターン状に紫外線を露光した後、被覆層を現像する。これにより、紫外線の露光パターンと同様のパターン状を有した被覆層、あるいは、紫外線の露光パターンを反転させたパターン状を有した被覆層を形成することができる。また、金属層の一部に溶解性の樹脂を塗布した後に、金属層の全体を覆う被覆層を形成してもよい。そして、樹脂および樹脂上形成された被覆層の一部を、樹脂を溶解するための溶剤で金属層上から除去してもよい。これにより、パターン状の被覆層を形成することができる。また、被覆層には、第１部分と第２部分とを含む被覆層としてもよい。第１部分におけるエッチング液の透過性は、第２部分におけるエッチング液の透過性と異なる。こうした被覆層によって、被覆層のエッチング液の透過性の差によって、金属層の一部を選択的にエッチングすることができる。
【０１１７】
・情報記録体は、上述した個人証明体１０に限らず、遊技用に用いられる情報記録体、各種のチケットとして用いられる情報記録体、物品を装飾する目的で用いられる情報記録体、または、情報記録体そのものが鑑賞の対象である情報記録体などに適用することも可能である。
【０１１８】
［第２実施形態］
図１７および図１８を参照して、本発明における情報記録体および個人証明体の第２実施形態を説明する。第２実施形態は、上述した第１実施形態と比べて、金属層の構成が異なる。そのため以下では、こうした相違点を詳しく説明し、かつ、第２実施形態において第１実施形態と共通する構成には第１実施形態と同一の符号を付すことによって、その詳しい説明を省略する。また以下では、個人証明体の構成、および、個人証明体の作用を順に説明する。
【０１１９】
［個人証明体の構成］
図１７を参照して、個人証明体の構成を説明する。図１７では、個人証明体の断面構造のなかで、光学セキュリティパッチを含む部分が拡大して示されている。
【０１２０】
図１７が示すように、個人証明体５０は、第１実施形態の個人証明体１０と同様、記録層１２と光学セキュリティパッチ５１とを備え、記録層１２の表面１２Ｆの一部に光学セキュリティパッチ５１が位置している。光学セキュリティパッチ５１は、レリーフ層２１、金属層５２、および、接着層２３を備えている。
【０１２１】
金属層５２は、変質区域５２ａと非変質区域５２ｂとから構成されている。変質区域５２ａは、記録層１２の厚さ方向から見て記録区域１２ａと一致する領域の縁の全体を取り囲んでいる。言い換えれば、変質区域５２ａは、記録層１２の表面１２Ｆと対向する平面視において、記録区域１２ａの全体と重なり、かつ、記録区域１２ａと重なる領域の縁からはみ出す大きさを有している。そのため、変質区域５２ａは、下層である記録層１２のなかで、所定の色を有した記録区域１２ａを透過するとともに、記録区域１２ａを取り囲む部分も透過する。
【０１２２】
光学セキュリティパッチ５１は、変質区域５２ａと、第１部分５１ａと、非変質区域５２ｂと、第２部分５１ｂとを含んでいる。第１部分５１ａは、レリーフ層２１の一部であって、記録層１２の厚さ方向から見て変質区域５２ａと一致する部分である。第２部分５１ｂは、レリーフ層２１の一部であって、記録層１２の厚さ方向から見て非変質区域５２ｂと一致する部分である。
【０１２３】
なお、上述したように、レーザー光線の照射によって記録層１２と、金属層２２とに与えられるエネルギーが所定の大きさを超えると、記録層１２の厚さ方向から見て、金属層２２の変質した面積が、記録層１２の炭化した面積よりも大きくなる。そのため、金属層５２を介して記録層１２に照射するレーザー光線のエネルギーを所定の大きさ以上とすることによって、変質区域５２ａと記録区域１２ａとを形成することができる。
【０１２４】
［個人証明体の作用］
図１８を参照して、個人証明体５０の作用を説明する。なお、図１８には、個人証明体５０が記録層１２の厚さ方向から視認されたときの光学セキュリティパッチ５１の状態が示されている。
【０１２５】
図１８が示すように、個人証明体５０が記録層１２の厚さ方向から視認されたときには、光学セキュリティパッチ５１の全体に入射した光のうち、第２部分５１ｂに入射した光を第２部分５１ｂが吸収する。そのため、第２部分５１ｂは、観察者によって黒色を有した部分として視認され、かつ、記録層１２のなかで第２部分５１ｂの下層である部分は、観察者によって視認されない。
【０１２６】
これに対して、光学セキュリティパッチ５１の全体に入射した光のうち、第１部分５１ａに入射した光を第１部分５１ａが透過する。そのため、記録層１２のなかで、第１部分５１ａの下層である部分が、第１部分５１ａを介して視認される。それゆえに、記録区域１２ａ、および、記録層１２の表面１２Ｆと対向する平面視において記録区域１２ａを取り囲む部分が視認される。結果として、観察者には、記録区域１２ａを取り囲む部分が記録区域１２ａを縁取る像が、変質区域５２ａを介して視認される。
【０１２７】
以上説明したように、情報記録体および個人証明体の第２実施形態によれば、以下に記載の効果を得ることができる。
（５）個人証明体５０を記録層１２の厚さ方向から見たときには、記録区域１２ａの周りを取り囲む部分が記録区域１２ａを縁取る像が、変質区域５２ａを介して観察者によって視認される。これに対して、個人証明体５０を記録層１２の厚さ方向と交差する方向から見たときには、記録区域１２ａと記録区域１２ａの周りを取り囲む部分とによって形成される像が、回折光によって形成される像で取り囲まれた像が観察者によって視認される。
【０１２８】
なお、上述した第２実施形態は、以下のように適宜変更して実施することができる。
・個人証明体５０は、第１実施形態において説明した第２例の個人証明体１０の構成、および、第３例の個人証明体１０の構成と組み合わせて実施することが可能である。すなわち、光学セキュリティパッチ５１は、有色層１４と記録層１２との間のみに位置してもよいし、記録層１２と表面ラミネート層１５との間と、有色層１４と記録層１２との間に１つずつ位置してもよい。
【０１２９】
［第３実施形態］
図１９を参照して、本発明における情報記録体および個人証明体の第３実施形態を説明する。第３実施形態は、上述した第１実施形態と比べて、有色層の構成が異なる。そのため以下では、こうした相違点を詳しく説明し、かつ、第３実施形態において第１実施形態と共通する構成には第１実施形態と同一の符号を付すことによって、その詳しい説明を省略する。
【０１３０】
図１９が示すように、個人証明体６０において、裏面ラミネート層１３、有色層６１、記録層１２、および、表面ラミネート層１５が記載の順に積み重なり、かつ、光学セキュリティパッチ１１が、記録層１２と表面ラミネート層１５との間に位置している。有色層６１は、記録層１２の厚さ方向から見て、光学セキュリティパッチ１１と重なり、かつ、光学セキュリティパッチ１１よりも外側に広がる大きさを有し、かつ、色を有している。有色層６１は、記録層１２の厚さ方向から見て、光学セキュリティパッチ１１の全体と重なり、かつ、光学セキュリティパッチ１１の周方向における全体において光学セキュリティパッチ１１よりも外側に広がる空間を区画する貫通孔６１ａを含んでいる。
【０１３１】
貫通孔６１ａには、貫通孔６１ａを埋める充填部６２が位置している。充填部６２を形成するための材料は例えば樹脂である。充填部６２は、記録層１２、表面ラミネート層１５、および、裏面ラミネート層１３と同様、光透過性を有する。充填部６２は、有色層６１の色とは異なる色でもよい。なお、貫通孔６１ａには充填部６２が位置していなくてもよい。
【０１３２】
貫通孔６１ａに充填部６２が位置することによって、個人証明体６０の表面６０Ｆおよび裏面６０Ｒの少なくとも一方のなかで、貫通孔６１ａと重なる領域に窪みが形成されることが抑えられる。
【０１３３】
以上説明した情報記録体、および、個人証明体の第３実施形態によれば、以下に記載の効果を得ることができる。
（６）記録層１２の厚さ方向から見て、光学セキュリティパッチ１１よりも外側の領域のなかで、有色層６１が位置する領域は、有色層６１の色を有する領域として視認される一方で、有色層６１が位置しない領域は、有色層６１の色を有しない領域として視認されるため、個人証明体６０の有する意匠性がさらに高められる。
【０１３４】
なお、上述した第３実施形態は、以下のように適宜変更して実施することができる。
・貫通孔６１ａは、記録層１２の厚さ方向から見て光学セキュリティパッチ１１の一部と重なっていてもよく、この場合には、光学セキュリティパッチ１１の周方向における一部において、光学セキュリティパッチ１１よりも外側に広がる空間を区画していればよい。こうした構成であっても、記録層１２の厚さ方向から見て、光学セキュリティパッチ１１よりも外側の領域のなかで有色層６１が位置しない領域は、有色層６１の色を有しない領域として視認されるため、上述した（６）に準じた効果を得ることはできる。
【０１３５】
・個人証明体６０は、第１実施形態における第２例の個人証明体１０の構成、および、第３例の個人証明体１０の構成と組み合わせて実施することができる。すなわち、個人証明体６０が備える光学セキュリティパッチ１１は、有色層６１における貫通孔６１ａ内に位置してもよい。あるいは、個人証明体６０は第１光学セキュリティパッチ１１Ａと第２光学セキュリティパッチ１１Ｂとを備え、第１光学セキュリティパッチ１１Ａが表面ラミネート層１５と記録層１２との間に位置し、かつ、第２光学セキュリティパッチ１１Ｂが有色層６１における貫通孔６１ａ内に位置してもよい。いずれの場合にも、貫通孔６１ａには、充填部６２が位置してもよいし、位置しなくてもよい。
【０１３６】
・個人証明体６０は、第２実施形態の個人証明体５０の構成と組み合わせて実施することが可能である。すなわち、個人証明体６０が備える光学セキュリティパッチ１１が、第２実施形態の個人証明体５０が備える光学セキュリティパッチ５１であってもよい。
【０１３７】
［第４実施形態］
図２０を参照して、情報記録体および個人証明体の第４実施形態を説明する。第４実施形態は、上述した第１実施形態と比べて、裏面側キャリアフィルムの構成が異なる。そのため以下では、こうした相違点を詳しく説明し、かつ、第４実施形態において第１実施形態と共通する構成には第１実施形態と同一の符号を付すことによって、その詳しい説明を省略する。また以下では、個人証明体の構成、および、個人証明体を構成する各部の形成材料を説明する。
【０１３８】
［個人証明体の構成］
図２０を参照して、個人証明体の構成を説明する。
図２０が示すように、個人証明体７０は、光学セキュリティパッチ１１、表面ラミネート層１５、および、記録層１２に加えて、第１接着層７１、ラベル基材７２、および、第２接着層７３を備えている。個人証明体７０において、第１接着層７１、ラベル基材７２、第２接着層７３、記録層１２、および、表面ラミネート層１５が記載の順に積み重なり、印刷部１６は、ラベル基材７２と第２接着層７３との間に位置している。
【０１３９】
このように、個人証明体７０は、表面ラミネート層１５と記録層１２とを支持するとともに、可撓性を有したキャリアフィルムの一例であるラベル基材７２と、ラベル基材７２に対して表面ラミネート層１５および記録層１２が位置する側とは反対側に位置する第１接着層７１とを備えている。こうした構成によれば、個人証明体７０に可撓性を与えることができるため、個人証明体７０の貼り付け先の形状における自由度が高まる。
【０１４０】
第２接着層７３は光透過性である。ラベル基材７２および第１接着層７１は光透過性でなくてもよいし、光透過性であってもよい。
【０１４１】
［各部の形成材料］
個人証明体７０の各形成材料を説明する。以下では、個人証明体７０のうち、第１実施形態の個人証明体１０とは異なる構成の材料について説明する。
【０１４２】
［第１接着層］
第１接着層７１の材料は、上述した接着層２３の材料を適用できる。第１接着層７１の厚さは、１μｍ以上３００μｍ以下とできる。また、第１接着層７１の厚さは、５μｍ以上１００μｍ以下とできる。
【０１４３】
［ラベル基材］
ラベル基材７２は、プラスチックフィルムまたは紙とできる。ラベル基材７２のプラスチックフィルムまたは紙は、上述した有色層１４のプラスチックシートよりも剛性が低い。プラスチックフィルムは、ＰＥＴフィルム、ＰＥＮフィルム、ＰＰフィルムとできる。また、ラベル基材７２の紙は、合成紙、プラスチック複層紙、樹脂含浸紙、板紙、段ボール、金属蒸着紙、熱転写紙とできる。なお、プラスチックフィルムや紙の材料は、ラベル基材７２に印刷部１６を形成するときに、ラベル基材７２にかかる熱や圧力、および、ラベル基材７２が接する溶剤によって、ラベル基材７２が変形しにくく、変質しにくい材料とできる。
【０１４４】
ラベル基材７２の厚さは４０μｍ以上２００μｍ以下とできる。また、ラベル基材７２の厚さは、５０μｍ以上１２０μｍ以下とできる。ラベル基材７２の厚さが４０μｍ以上であることによって、ラベル基材７２が取り扱いやすい程度にラベル基材７２の物理的な強度が高まる。また、ラベル基材７２の厚さが２００μｍ以下であることによって、ラベル基材７２、ひいては、ラベル基材７２を備える個人証明体７０に可撓性を与えることができる。
【０１４５】
［第２接着層］
第２接着層７３の材料には、上述した接着層２３の材料を適用できる。第２接着層７３の厚さは、０．１μｍ以上１０μｍ以下とできる。また、第２接着層７３の厚さは、１μｍ以上５μｍ以下とできる。
【０１４６】
以上説明したように、情報記録体、および、個人証明体の第４実施形態によれば、以下に記載の効果を得ることができる。
（７）個人証明体７０に可撓性を与えることができるため、個人証明体７０の貼り付け先の形状における自由度が高まる。
【０１４７】
なお、上述した第４実施形態は、以下のように適宜変更して実施することができる。
・個人証明体７０は、第１実施形態において説明した第２例の個人証明体１０の構成、および、第３例の個人証明体１０の構成と組み合わせて実施することが可能である。すなわち、光学セキュリティパッチ１１は記録層１２と第２接着層７３との間のみに位置してもよいし、記録層１２と表面ラミネート層１５との間と、第２接着層７３と記録層１２との間に１つずつ位置してもよい。
【０１４８】
・個人証明体７０は、第２実施形態の個人証明体５０の構成と組み合わせて実施することが可能である。すなわち、個人証明体７０が備える光学セキュリティパッチ１１が、第２実施形態の個人証明体５０が備える光学セキュリティパッチ５１であってもよい。
【０１４９】
上記実施形態１から実施形態４は、組合せることができる。
上記実施形態、および、変形例から導かれる技術的思想を付記する。
［付記１］
レーザー光線の照射によって炭化する特性と透過性とを有した領域に囲まれて前記レーザー光線の照射による炭化によって所定の情報を示す記録区域を備えた記録層と、
前記記録層の厚さ方向において、前記記録区域の全体と重なり、かつ、前記記録区域の外側に向けて広がる金属層であって、前記金属層の主成分が金属であり、前記厚さ方向において、前記記録区域の全体と重なり、かつ、前記厚さ方向において前記記録区域と重なる領域の縁の全体を取り囲むとともに透過性を有した変質区域と、前記変質区域以外の部分である非変質区域とを含む前記金属層と、を備える
情報記録体。
【０１５０】
上記構成によれば、情報記録体の厚さ方向から見て、記録区域を取り囲む部分が記録区域を縁取る像が、変質区域を介して観察者に視認される。
【図１】
2018216700.tif 000003
【図２】
2018216700.tif 000004
【図３】
2018216700.tif 000005
【図４】
2018216700.tif 000006
【図５】
2018216700.tif 000007
【図６】
2018216700.tif 000008
【図７】
2018216700.tif 000009
【図８】
2018216700.tif 000010
【図９】
2018216700.tif 000011
【図１０】
2018216700.tif 000012
【図１１】
2018216700.tif 000013
【図１２】
2018216700.tif 000014
【図１３】
2018216700.tif 000015
【図１４】
2018216700.tif 000016
【図１５】
2018216700.tif 000017
【図１６】
2018216700.tif 000018
【図１７】
2018216700.tif 000019
【図１８】
2018216700.tif 000020
【図１９】
2018216700.tif 000021
【図２０】
2018216700.tif 000022
【国際調査報告】
2018216700.tif 000023
2018216700.tif 000024
2018216700.tif 000025
2018216700.tif 000026
2018216700.tif 000027